(57)【特許請求の範囲】
【請求項１】
１つの引戸が案内レールに案内されつつスライドすることで開閉する住宅用引戸の開閉構造であって、
前記引戸を間仕切壁の表側壁面に沿って移動させると共に、出入口開口部に嵌合可能に案内する第１の案内レールと、
前記引戸を前記間仕切壁の裏側壁面に沿って移動させると共に、出入口開口部に嵌合可能に案内する第２の案内レールと、
前記引戸が前記出入口開口部に嵌合された状態において、前記引戸と前記出入口開口部の隙間を密閉する、前記引戸及び前記出入口開口部のうちの一方又は双方に設けられた気密部材と、を備えたことを特徴とする住宅用引戸の開閉構造。
【請求項２】
２つの引戸が案内レールに案内されつつスライドすることで両方に開閉する住宅用引戸の開閉構造であって、
前記一方の引戸を間仕切壁の表側壁面に沿って移動させると共に、出入口開口部に嵌合可能に案内する第１の案内レールと、
前記他方の引戸を間仕切壁の裏側壁面に沿って移動させると共に、出入口開口部に嵌合可能に案内する第２の案内レールと、
前記２つの引戸が前記出入口開口部に嵌合された状態において、前記２つの引戸と前記出入口開口部の隙間を密閉する、前記２つの引戸及び前記出入口開口部のうちの一方又は双方に設けられた気密部材と、を備えたことを特徴とする住宅用引戸の開閉構造。
【請求項３】
前記引戸が前記出入口開口部に嵌合されると共に、前記気密部材により前記引戸と前記出入口開口部の隙間とが密閉された状態で、前記引戸を前記出入口開口部に固定する固定具を備えたことを特徴とする請求項１又は２記載の住宅用引戸の開閉構造。
【請求項４】
前記引戸と前記壁又は前記間仕切壁の厚さを等しくしたことを特徴とする請求項１乃至３のいずれか１に記載の住宅用引戸の開閉構造。
【発明の詳細な説明】
【０００１】
【発明の属する技術分野】
本発明は、住宅用建具の引戸、外部用の引戸等の住宅用引戸の開閉構造に関する。
【０００２】
【従来の技術】
従来から住宅等に採用されている引戸の開閉構造１３は、一般的に、図６に示すように、引戸１３ａがその上部及び下部に設けられた案内レール１８に沿って、スライドしつつ開閉されるものである。
【０００３】
この引戸の開閉構造１３を設けるには、図示されているように、引戸１３ａの収納場所を確保するために、壁１５の厚さを幅Ｘだけふかしたり、前記引戸１３ａを収納する戸袋（図外）を設ける必要がある。
【０００４】
【発明が解決しようとする課題】
このため、壁１５の厚さを引戸を設けるためだけに厚くして、廊下や部屋のスペースを減少させなければならなかった。また、引戸１３ａと壁１５の厚さの違いから大きな段差１６が形成され、意匠上好ましくないだけではなく、前記段差１６の角部１７に人や物が衝突することもあり、安全上好ましくなかった。
【０００５】
さらに、この引戸１３ａが閉鎖された状態において、構造上、引戸１３ａと壁１５の側部１５ａ、引戸１３ａと壁１５の端面１５ｂ、引戸１３ａと案内レール１８の間等に隙間が生じるため、気密性が悪く、冷暖房効率の面において問題があった。また、上記隙間のため、遮音性能も悪く、プライバシーの確保が要求される部屋への採用が避けられていた。
【０００６】
このような問題を解消するために、壁をふかすことを要せず、かつ、扉（引戸）が閉鎖された状態で扉と戸当たりが密着することで比較的隙間が生じにくい、開き戸が一般的には採用されていた。
【０００７】
しかし、狭い廊下に面した部屋に開き戸を採用すると、扉の開度の制限を受けたり、複数の開き戸同士を近くに設置すると、扉同士の接触が生じることがある。すなわち、開き戸を採用するには、扉の揺動スペースを十分に確保しなければならず、狭い住宅等においては、採用し難い場合が多かった。
【０００８】
本発明は、かかる課題に鑑みてなされたものであって、本発明は、開き戸と同等の優れた気密性能、遮音性能等を備え、かつ、従来の引戸のように壁のふかしを必要とすることのない住宅用引戸の開閉構造を提供することを目的とする。
【０００９】
【課題を解決するための手段】
上記目的を達成するために、請求項１記載の住宅用引戸の開閉構造は、１つの引戸が案内レールに案内されつつスライドすることで開閉する住宅用引戸の開閉構造であって、前記引戸を間仕切壁の表側壁面に沿って移動させると共に、出入口開口部に嵌合可能に案内する第１の案内レールと、前記引戸を前記間仕切壁の裏側壁面に沿って移動させると共に、出入口開口部に嵌合可能に案内する第２の案内レールと、前記引戸が前記出入口開口部に嵌合された状態において、前記引戸と前記出入口開口部の隙間を密閉する、前記引戸及び前記出入口開口部のうちの一方又は双方に設けられた気密部材と、を備えたことを特徴としている。
【００１０】
請求項２記載の住宅用引戸の開閉構造は、２つの引戸が案内レールに案内されつつスライドすることで両方に開閉する住宅用引戸の開閉構造であって、前記一方の引戸を間仕切壁の表側壁面に沿って移動させると共に、出入口開口部に嵌合可能に案内する第１の案内レールと、前記他方の引戸を間仕切壁の裏側壁面に沿って移動させると共に、出入口開口部に嵌合可能に案内する第２の案内レールと、前記２つの引戸が前記出入口開口部に嵌合された状態において、前記２つの引戸と前記出入口開口部の隙間を密閉する、前記２つの引戸及び前記出入口開口部のうちの一方又は双方に設けられた気密部材と、を備えたことを特徴としている。
【００１１】
請求項３記載の住宅用引戸の開閉構造は、請求項１又は２記載の住宅用引戸の開閉構造において、前記引戸が前記出入口開口部に嵌合されると共に、前記気密部材により前記引戸と前記出入口開口部の隙間とが密閉された状態で、前記引戸を前記出入口開口部に固定する固定具を備えたことを特徴としている。
【００１２】
請求項４記載の住宅用引戸の開閉構造は、請求項１乃至３のいずれか１に記載の住宅用引戸の開閉構造において、前記引戸と前記壁又は前記間仕切壁の厚さを等しくしたことを特徴としている。
【００１５】
【発明の実施の形態】
以下、本発明の第1の実施形態に係る住宅用引戸の開閉構造ついて図面に基づき説明する。図１及び図２に示すように、前記住宅用引戸の開閉構造１Ａは、引戸２Ａが案内レール３に案内されつつスライドすることで開閉する住宅用引戸の開閉構造であって、前記引戸２Ａを壁面４ａに沿って移動させると共に、出入口開口部５に嵌合可能に案内する案内レール３と、出入口開口部５の内周縁に設けられた戸当たり６とを備えたものである。
【００１６】
前記案内レール３は、これに案内される前記引戸２Ａが壁面４ａに沿って移動するように、壁面４ａに沿って前記引戸２Ａの上部及び下部に設けられたものである。この案内レール３のうち上部に設けられた上部案内レール３Ａは、例えば断面コの字形レール材がその開口を下向きにして側部が壁面４ａに固定されたものである。また、この上部案内レール３Ａの壁面４ａ側には、前記引戸２Ａの上部に設けられた後述する滑子７が壁面４ａと直角方向に離脱して前記出入口開口部５の上部両側部に設けられた滑子格納部５ａに格納されるように所定部が切欠かれている。なお、本実施形態において、前記上部案内レール３Ａは前記壁面４ａに固定されているが、この上部案内レール３Ａが、前記引戸２Ａが閉鎖されるときに、前記壁面４ａ内部に自動的に格納され、前記引戸２Ａが開かれるときに、前記壁面４ａ内部に格納された前記上部案内レール３Ａが壁面４ａの手前側に出るように構成してもよい。例えば、前記上部案内レール３Ａの格納スペース前記壁面４ａ内部に設け、これを格納させるときは、バネやアクチュエータ等によって壁面４ａ内部へ格納させ、前記上部案内レール３Ａを手前側に出すときは、前記引戸２Ａと共に手前側に平行移動するようにして行うことができる。
【００１７】
前記案内レール３のうち前記引戸２Ａの下部に設けられた下部案内レール３Ｂは、前記上部案内レール３Ａと同一軌道を有し、床８に設けられた溝によって形成されている。該下部案内レール３Ｂにおいても、壁面４ａ側に、上部案内レール３Ａと同様に、前記出入口開口部５の下部両側部において、前記引戸２Ａの下部に設けられた後述する滑子７が壁面４ａと直角方向に離脱して前記出入口開口部５の下部両側部設けられた滑子格納部５ａに格納されるように所定部が切欠かれている。なお、前記下部案内レール３Ｂは、前記引戸２Ａを前記戸当たり６にしっかりと当接させて、より優れた遮音性、気密性を実現するために設けられているが、必要に応じて該下部案内レール３Ｂを省略したものであってもよく、使用上さほど問題は生じない。
【００１８】
なお、下部案内レール３Ｂは、当然ながら、溝によって形成されなくてもよく、例えば、前記上部案内レール３Ａと同様に断面コの字形のものをその開口を上向きにして床８等に固定することにより設けてもよい。
【００１９】
前記引戸２Ａは、一般的な引戸に採用されるものと同様のものであるが、その上部及び下部両端には、前記案内レール３とスライド自在に嵌合される滑子７が軸着されている。この滑子７としては、例えば前記引戸２Ａに垂直に設けられた軸７ａにボールベアリング等を嵌着して構成することができる。また、前記引戸２Ａには、内部で屈曲された取っ手１０が少なくとも両面左右２箇所に設けられている。このため、この取っ手１０に手を掛けることで、左右に引戸２Ａを開閉させるだけでなく、引戸２Ａをその厚さ方向に容易に移動させることができる。さらに、前記引戸２Ａは、その両側部に固定具１１としてラッチボルト１１ａが設けられており、後述する前記出入口開口部５の両側部に設けられた受座の溝１１ｂと嵌合することで、前記引戸２Ａと前記出入口開口部５とが相互に固定されるようになっている。なお、前記取っ手１０と前記ラッチボルト１１ａは連動されており、前記取っ手１０に手を掛けることで、前記ラッチボルト１１ａのロックを解除できるようになっている。
【００２０】
前記出入口開口部５は、前記引戸２Ａが嵌め込まれる壁面４ａに設けられた開口部であり、この出入口開口部５の周縁には、戸当たり６が設けられている。したがって、前記引戸２Ａが該出入口開口部５に嵌合されて閉鎖されたときは、該戸当たり６に当接されると共に、前記した固定具１１によって、この当接された状態が保持されようになっている。また、この出入口開口部５の両側部には、前記引戸２Ａの前記ラッチボルト１１ａが嵌合される受座の溝１１ｂが設けられており、上記したように前記引戸２Ａと前記出入口開口部５とが相互に固定されるようになっている。
【００２１】
上記した構成において、前記引戸２Ａを開閉する場合について以下に説明する。
【００２２】
まず、前記引戸２Ａが開かれた状態から閉鎖される状態まで説明する。図３（ａ）に示すように、前記引戸２Ａが開放された状態において、取っ手１０に手を掛けて閉鎖側に前記引戸２Ａをスライドさせて、図３（ｂ）に示すように前記案内レール３の閉鎖側端部まで移動させる。
【００２３】
つぎに、左右の前記取っ手１０に手を掛け、図において壁の手前側からは、前記引戸２Ａを壁面４ａと直角方向（図の矢印Ｌに示す方向）に押し込んで、壁の奥側からは、前記引戸２Ａを壁面４ａと直角方向（図の矢印Ｌに示す方向）に引き込んで、前記戸当たり６に当接するまで平行移動させ、図３（ｃ）に示すように、前記出入口開口部５に嵌め込む。この状態では、前記引戸２Ａは、前記戸当たり６に当接されているため、前記引戸２Ａと前記出入口開口部５の間に隙間が殆ど生じることがなく、したがって、優れた気密性、遮音性等が確保される。なお、さらに優れた気密性、遮音性等を実現するために、前記引戸２Ａと前記戸当たり６が当接する部位に弾性材等からなる気密部材を設けてもよい。
【００２４】
他方、前記引戸２Ａが閉鎖された状態から開放する場合は、まず、図３（ｃ）に示す引戸２Ａが閉鎖された状態から、左右の前記取っ手１０に手を掛けて、前記ラッチボルト１１ａの固定状態を解除し、図において壁の手前側からは、前記引戸２Ａを前記出入口開口部５から図の矢印Ｍに示す方向に引き出し、壁の奥側からは、矢印Ｍに示す方向に押出して、図３（ｂ）に示すように、前記引戸２Ａの前記滑子７を前記案内レール３に嵌着し、最後に、図３（ａ）に示したように前記案内レール３の端部まで開放側にスライドさせることによって行われる。
【００２５】
以下、本発明の第２の実施形態に係る住宅用引戸の開閉構造について説明する。図４に示すように、引戸２Ｂが案内レール３に案内されつつスライドすることで開閉する住宅用引戸の開閉構造１Ｂであって、前記引戸２Ｂを間仕切壁４の表側壁面４ａに沿って移動させると共に、出入口開口部５に嵌合可能に案内する（第１の）案内レール３と、前記引戸２Ｂを間仕切壁４の裏側壁面４ｂに沿って移動させると共に、出入口開口部５に嵌合可能に案内する（第２の）案内レール３と、前記引戸２Ｂが前記出入口開口部５に嵌合された状態において、前記引戸２Ｂと前記出入口開口部５の隙間を密閉する、前記出入口開口部５の内周縁に設けられた気密部材１２とを備えたものである。なお、前記間仕切壁４の厚さと前記引戸２Ｂの厚さが等しくなっており、閉鎖時には、壁面４ａ、４ｂと引戸２Ｂの面に段差がなくすっきりと見え、意匠上好ましい。
【００２６】
前記案内レール３は、第１の実施形態で説明した上部案内レール３Ａ及び下部案内レール３Ｂと同様のものであり、これが間仕切壁４を中心に対称に設けられている。なお、下部案内レール３Ｂは、第１の実施の形態でも説明したが、溝によって形成されなくてもよく、前記上部案内レール３Ａと同様に断面コの字形のものをその開口を上向きにして床８等に固定すること等により設けてもよい。また、前記下部案内レール３Ｂを省略したものであってもよく、使用上さほど問題は生じない。
【００２７】
前記引戸２Ｂは、第１の実施形態に係る引戸２Ａにおいて、前記ラッチボルト１１ａの代わりに、双方向から前記引戸２Ｂの開閉が可能な空締めボルト１１ｃが設けられたものである。
【００２８】
前記出入口開口部５は、第１の実施形態で説明したものと同様のものであるが、但し、前記戸当たり６が省かれ、前記引戸２Ｂがこの出入口開口部５を壁面４ａと直角方向に通過できるようになっている。また、前記出入口開口部５の周縁には中空状の弾性材等からなる気密部材１２が設けられており、前記引戸２Ｂが閉鎖されると、出入口開口部５と前記引戸２Ｂの隙間が密封されて優れた気密性、遮音性を確保する。
【００２９】
この第２の実施形態に係る住宅用引戸の開閉構造１Ｂにおいて、前記引戸２Ｂを閉鎖する場合は、大体において第１の実施の形態の住宅用引戸の開閉構造１Ａと同様にして行うことができるが、前記引戸２Ｂを前記出入口開口部５に嵌合させて閉鎖するときは少し異なる。すなわち、前記引戸２Ｂを閉鎖するときは、前記引戸２Ｂを戸当たりに当接するまで平行移動させるのではなく、前記空締めボルト１１ｃが前記出入口開口部５の受座の溝１１ｂに嵌合されるまで平行移動をさせて前記出入口開口部５に固定する。
【００３０】
上記のように、前記案内レール３が前記間仕切壁４の両面４ａ、４ｂに設けられたことにより、前記引戸２Ｂをどちらの壁面４ａ、４ｂにでも移動させることができ、前記引戸２Ｂを開ける場合に、常に手前側に引いて開けることで手前側の取っ手１０が壁に隠れないようにすることができる。この結果、前記引戸２Ｂの開閉時に手を前記引戸２Ｂと壁面４ａ、４ｂの間に挟んでけがをするという危険がなくなる。また、前記取っ手１０が壁に隠れないように、前記取っ手１０が壁に隠れる手前で前記引戸２Ｂをそれ以上開かなくする必要もなくなる。
【００３１】
以下、本発明の第３の実施形態に係る住宅用引戸の開閉構造について説明する。図５に示すように、該住宅用引戸の開閉構造１Ｃは２つの引戸２Ｃが案内レール３に案内されつつスライドすることで両方に開閉するものであって、前記一方の引戸２Ｃを間仕切壁４の表側壁面４ａに沿って移動させると共に、出入口開口部５に嵌合可能に案内する（第１の）案内レール３と、前記他方の引戸２Ｃを間仕切壁の裏側壁面４ｂに沿って移動させると共に、出入口開口部５に嵌合可能に案内する（第２の）案内レール３と、前記２つの引戸が前記出入口開口部５に嵌合された状態において、前記２つの引戸２Ｃと前記出入口開口部５の隙間を密閉する前記出入口開口部５に設けられた気密部材１２Ａとを備えたものである。すなわち、前記した第２の実施の形態に係る住宅用引戸の開閉構造１Ｂの間仕切壁の裏側壁面に設けた案内レール３を出入口開口部５から向かって左右に対象移動させ、引戸を２つにすると共に、２つの引戸２Ｃの幅に前記出入口開口部５の幅を対応させたものである。なお、前記間仕切壁４の厚さと前記引戸２Ｃの厚さが等しくされており、閉鎖時には、壁面４ａ、４ｂと引戸２Ｃの面に段差がなくすっきりと見え、意匠上好ましい。
【００３２】
この住宅用引戸の開閉構造１Ｃにおいては、前記引戸２Ｃを開くとき、一方の引戸２Ｃが間仕切壁４の手前側へ、他方の引戸２Ｃが間仕切壁４の奥側へ移動するので、引戸２Ｃを開けて部屋、廊下等への出入をする際には、常に手前側に移動する引戸２Ｃの取っ手１０に手を掛けて開ければ、間仕切壁４と引戸２Ｃの間に手を挟んでけがをする心配がなくなる。
【００３３】
また、前記２つの引戸２Ｃは、互いに連動して開閉するようにしてもよい。例えば、引戸２Ｃ同士をワイヤーと滑車を介して連結することにより連動して開閉できるようにすることができる。また、開閉感知センサーと電動モータ等によって引戸２Ｃ同士を連動させてもよい。例えば、一方の引戸が開閉されると前記開閉感知センサーに感知されて他方の引戸も電動モータ等の動力により自動的に開閉されるようにしてもよい。これらのように構成すれば、例えば、廊下から一方の引戸２Ｃを開けて、部屋に入り、その後、連動して開かれた他方の引戸２Ｃを締めることで、先に開けた前記一方の引戸も同時に閉鎖されることとなりより便利なものとなる。
【００３４】
【発明の効果】
請求項１記載の住宅用引戸の開閉構造は、１つの引戸が案内レールに案内されつつスライドすることで開閉する住宅用引戸の開閉構造であって、前記引戸を間仕切壁の表側壁面に沿って移動させると共に、出入口開口部に嵌合可能に案内する第１の案内レールと、前記引戸を前記間仕切壁の裏側壁面に沿って移動させると共に、出入口開口部に嵌合可能に案内する第２の案内レールと、前記引戸が前記出入口開口部に嵌合された状態において、前記引戸と前記出入口開口部の隙間を密閉する、前記引戸及び前記出入口開口部のうちの一方又は双方に設けられた気密部材と、を備えたものであるので、開き戸のように優れた気密性、遮音性を容易に確保することができ、かつ、開き戸を採用するにあたり問題となる扉同士の干渉、扉の開度の制限等の問題が解消される。また、引戸の両側の壁をふかす必要がなくなり、引戸と壁の厚さを同じくらいにすることができると共に施工工数を削減することができる。加えて、引戸と壁の段差により形成される角部を無くす乃至は大幅に小さくできることで、意匠上の利点が得られると共に、この角部への人や物の衝突等が減少する。加えて、引戸を開くに際して、引戸を壁の手前側にスライドさせることで引戸の開閉を容易に行うことができる。さらに、取っ手が壁面に隠れることがなくなり、出入口が全開するまで、取っ手から手を離さなくてもよく、引戸の開閉時に手を引戸と壁面の間に挟んでけがをする心配がなくなる。
【００３５】
請求項２記載の住宅用引戸の開閉構造は、２つの引戸が案内レールに案内されつつスライドすることで両方に開閉する住宅用引戸の開閉構造であって、前記一方の引戸を間仕切壁の表側壁面に沿って移動させると共に、出入口開口部に嵌合可能に案内する第１の案内レールと、前記他方の引戸を間仕切壁の裏側壁面に沿って移動させると共に、出入口開口部に嵌合可能に案内する第２の案内レールと、前記２つの引戸が前記出入口開口部に嵌合された状態において、前記２つの引戸と前記出入口開口部の隙間を密閉する、前記２つの引戸及び前記出入口開口部のうちの一方又は双方に設けられた気密部材と、を備えたものであるので、引戸を開くに際して、引戸を壁の手前側にスライドさせることで引戸の開閉を容易に行うことができる。さらに、一方の引戸は常に壁の手前に開くので、その取っ手が壁面に隠れることがなくなり、出入口が全開するまで、取っ手から手を離さなくてもよく、引戸の開閉時に手を引戸と壁面の間に挟んでけがをする心配がなくなる。
【００３６】
請求項３記載の住宅用引戸の開閉構造は、請求項１又は２記載の住宅用引戸の開閉構造において、前記引戸が前記出入口開口部に嵌合されると共に、前記気密部材により前記引戸と前記出入口開口部の隙間とが密閉された状態で、前記引戸を前記出入口開口部に固定する固定具を備えたので、固定具により前記引戸と前記出入口開口部とが相互に固定されることで安定的に優れた気密性、遮音性を確保することができる。
【００３７】
請求項４記載の住宅用引戸の開閉構造は、請求項１乃至３のいずれか１に記載の住宅用引戸の開閉構造において、前記引戸と前記壁又は前記間仕切壁の厚さを等しくしたものであるので、段差がなくなりすっきりと見え、意匠上好ましい。又、引戸と壁の段差により形成される角部がなくなり、この角部への人や物の衝突等の問題を解消できる。
【図面の簡単な説明】
【図１】第１の実施形態に係る住宅用引戸の開閉構造を示した斜視図である。
【図２】図１のＸ−Ｘ断面図である。
【図３】第１の実施形態に係る住宅用引戸の開閉構造における引戸の開閉についての説明図である。
【図４】第２の実施形態に係る住宅用引戸の開閉構造を示した斜視図である。
【図５】第３の実施形態に係る住宅用引戸の開閉構造を示した平面図である。
【図６】従来例に係る引戸の平面図である。
【符号の説明】
１Ａ乃至１Ｂ  住宅用引戸の開閉構造
２Ａ乃至２Ｃ  引戸
３  案内レール
４ａ、４ｂ  壁面
４  壁、間仕切壁
５  出入口開口部
６  戸当たり
１１  固定具
１２  気密部材
【図１】
0003962943.tif 000002
【図２】
0003962943.tif 000003
【図３】
0003962943.tif 000004
【図４】
0003962943.tif 000005
【図５】
0003962943.tif 000006
【図６】
0003962943.tif 000007